(57)【要約】【課題】通信プロトコルが未知の無線タグ回路素子に対し簡単かつ迅速に探索を行うことができる記録媒体及び無線タグ情報読み取り装置を提供する。【解決手段】情報を保持する無線タグ回路素子Ｔo−Ｐを備えたタグラベルＴPであって、無線タグ回路素子Ｔo−ＰのＩＣ回路部１５０のメモリ部１５５は、倉庫１内に格納される荷物Ｌに設けられた無線タグラベルＴA，ＴBの無線タグ回路素子Ｔo−Ａ，Ｔo−Ｂへの通信に対応した通信プロトコルの種類情報を保持する。【選択図】図５
2008191961.tif 000002
【特許請求の範囲】
【請求項１】
情報を保持する情報保持部を備えた記録媒体であって、
前記情報保持部は、
情報を記憶する第１ＩＣ回路部と情報の送受信を行う第１タグ側アンテナとを備え所定の通信領域内に位置する探索用無線タグ回路素子への通信を迅速に行うための迅速化情報を保持する
ことを特徴とする記録媒体。
【請求項２】
請求項２記載の記録媒体において、
前記迅速化情報は、前記探索用無線タグ回路素子への通信に対応した通信プロトコルの種類情報である
ことを特徴とする記録媒体。
【請求項３】
請求項２記載の記録媒体において、
前記情報保持部は、
前記通信プロトコル種類情報を記憶した第２ＩＣ回路部と情報の送受信を行う第２タグ側アンテナとを備え、前記第２タグ側アンテナを介し無線通信により前記通信プロトコル種類情報を送信可能なプロトコル特定用無線タグ回路素子である
ことを特徴とする記録媒体。
【請求項４】
請求項３記載の記録媒体において、
前記第２タグ側アンテナは、
前記探索用無線タグ回路素子において前記第１タグ側アンテナを介した無線通信で用いる探索用の前記通信プロトコルとは異なる種類の特定用の前記通信プロトコルを用いて、無線通信により前記通信プロトコル種類情報を送信可能に構成されている
ことを特徴とする記録媒体。
【請求項５】
請求項３又は請求項４記載の記録媒体において、
前記第２タグ側アンテナは、
前記探索用通信プロトコルより伝送速度が速い前記特定用通信プロトコルを用いて前記通信プロトコル種類情報を送信可能に構成されている
ことを特徴とする記録媒体。
【請求項６】
請求項２記載の記録媒体において、
前記情報保持部は、
前記通信プロトコル種類情報を光学的に記録したバーコード記録部である
ことを特徴とする記録媒体。
【請求項７】
請求項２乃至請求項６のいずれか１項記載の記録媒体において、
前記情報保持部は、
互いに異なる複数種類の前記探索用無線タグ回路素子にそれぞれ用いられる複数の前記通信プロトコル種類情報と、
各通信プロトコル種類別の、対応する前記探索用無線タグ回路素子の数情報とを保持する
ことを特徴とする記録媒体。
【請求項８】
請求項７記載の記録媒体において、
前記情報保持部は、
前記複数の探索用無線タグ回路素子の各使用目的別識別コードごとの数情報を保持する
ことを特徴とする記録媒体。
【請求項９】
情報を記憶するＩＣ回路部と情報の送受信を行うタグ側アンテナとを備えた無線タグ回路素子に対し、無線通信により情報の送受信が可能な装置側アンテナと、
前記装置側アンテナを介し、所定の通信領域内に位置する探索対象の前記無線タグ回路素子の探索処理を行うための探索処理手段と、
前記探索対象無線タグ回路素子への通信を迅速に行うための迅速化情報を保持した情報保持部より、前記迅速化情報を実質的に非接触で読み取って取得する取得手段と
を有することを特徴とする無線タグ情報読み取り装置。
【請求項１０】
請求項９記載の無線タグ情報読み取り装置において、
前記装置側アンテナは、前記無線タグ回路素子に対し複数種類の通信プロトコルを選択的に用いて無線通信により情報の送受信が可能であり、
前記取得手段は、前記迅速化情報としての前記探索対象無線タグ回路素子への通信に対応した前記通信プロトコルの種類情報を保持した情報保持部より、前記通信プロトコル種類情報を取得する
ことを特徴とする無線タグ情報読み取り装置。
【請求項１１】
請求項１０記載の無線タグ情報読み取り装置において、
前記取得手段は、
前記情報保持部としての、前記通信プロトコル種類情報を前記ＩＣ回路部に記憶したプロトコル特定用の前記無線タグ回路素子より、前記装置側アンテナを介した無線通信により前記通信プロトコル種類情報を取得する無線取得手段である
ことを特徴とする無線タグ情報読み取り装置。
【請求項１２】
請求項１１記載の無線タグ情報読み取り装置において、
前記無線取得手段は、
前記装置側アンテナを介し、特定用通信プロトコルを用いて前記プロトコル特定用無線タグ回路素子から前記通信プロトコル種類情報を取得し、
前記探索処理手段は、
前記特定用通信プロトコルとは異なる種類の探索用通信プロトコルを用いて前記装置側アンテナを介し前記探索処理を行う
ことを特徴とする無線タグ情報読み取り装置。
【請求項１３】
請求項１２記載の無線タグ情報読み取り装置において、
前記無線取得手段は、
前記探索用通信プロトコルよりも伝送速度が速い前記特定用通信プロトコルを用いて前記通信プロトコル種類情報を取得する
ことを特徴とする無線タグ情報読み取り装置。
【請求項１４】
請求項１０記載の無線タグ情報読み取り装置において、
前記取得手段は、
前記情報保持部としてのバーコード記録部より、光を用いて前記通信プロトコル種類情報を光学的に取得する光学取得手段である
ことを特徴とする無線タグ情報読み取り装置。
【発明の詳細な説明】
【技術分野】
【０００１】
本発明は、情報を保持する記録媒体及び無線タグ情報を記憶保持する無線タグに対し無線通信により情報の読み取りを行う無線タグ情報読み取り装置に関する。
【背景技術】
【０００２】
小型の無線タグとリーダ（読み取り装置）／ライタ（書き込み装置）との間で非接触で情報の読み取り／書き込みを行うＲＦＩＤ（Ｒａｄｉｏ Ｆｒｅｑｕｅｎｃｙ Ｉｄｅｎｔｉｆｉｃａｔｉｏｎ）システムが知られている。
【０００３】
例えばラベル状の無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用が期待されている。
【０００４】
この無線タグとの無線通信に関し、種々の通信プロトコルが既に提唱されており、各無線タグの用途に応じて多種多様な通信プロトコルがそれぞれ使用されている。これに対応し、従来、複数種類の通信プロトコルに対応可能とした通信装置が記載されている（例えば、特許文献１参照）。
【０００５】
【特許文献１】特開２００１−２９１０７９号公報
【発明の開示】
【発明が解決しようとする課題】
【０００６】
上記従来技術の通信装置は、複数種類の通信プロトコルに対応可能としたマルチプロトコル対応型ではあるが、通信対象の無線タグ回路素子に合致した通信プロトコルが未知の場合、どのようにして当該通信プロトコルを特定するかについては特に配慮されていなかった。このため、このような場合には、通信対象の無線タグ回路素子から応答があるまで通信プロトコルを変更しつつ無線通信を試行することとなり、通信対象の無線タグ回路素子を迅速に探索することができなかった。このように、上記従来技術では、無線タグ回路素子に対し簡単かつ迅速に探索を行うことができなかった。
【０００７】
本発明の目的は、無線タグ回路素子に対し簡単かつ迅速に探索を行うことができる記録媒体及び無線タグ情報読み取り装置を提供することにある。
【課題を解決するための手段】
【０００８】
上記目的を達成するために、第１の発明は、情報を保持する情報保持部を備えた記録媒体であって、前記情報保持部は、情報を記憶する第１ＩＣ回路部と情報の送受信を行う第１タグ側アンテナとを備え所定の通信領域内に位置する探索用無線タグ回路素子への通信を迅速に行うための迅速化情報を保持することを特徴とする。
【０００９】
本願第１発明の記録媒体においては、情報保持部に、探索用無線タグ回路素子への通信を迅速に行うための迅速化情報が保持されている。これにより、操作者が、所定の通信領域内に位置する探索対象の無線タグ回路素子を探索するにあたり、まず、その探索用無線タグ回路素子への通信を迅速に行うための迅速化情報を記録媒体より取得する。そして、その取得した迅速化情報を用いて、無線タグ情報読み取り装置で無線通信により探索処理を行う。これにより、情報保持部から取得した迅速化情報に基づき、簡単かつ迅速に探索を行うことができる。
【００１０】
第２の発明は、上記第１発明において、前記迅速化情報は、前記探索用無線タグ回路素子への通信に対応した通信プロトコルの種類情報であることを特徴とする。
【００１１】
本願第２発明の記録媒体においては、情報保持部に、探索用無線タグ回路素子への通信で用いる通信プロトコル種類情報が保持されている。これにより、操作者が、所定の通信領域内に位置する探索対象の無線タグ回路素子を探索するにあたり、まず、その探索対象無線タグ回路素子への通信に用いる通信プロトコルの種類情報を記録媒体より取得する。そして、その取得した通信プロトコルを用いて、無線タグ情報読み取り装置で無線通信により探索処理を行う。
【００１２】
これにより、操作者が探索用無線タグ回路素子への通信に用いる通信プロトコルの種類を知らない場合であっても、情報保持部から取得した通信プロトコル種類情報に基づき、簡単かつ迅速に探索を行うことができる。
【００１３】
第３の発明は、上記第２発明において、前記情報保持部は、前記通信プロトコル種類情報を記憶した第２ＩＣ回路部と情報の送受信を行う第２タグ側アンテナとを備え、前記第２タグ側アンテナを介し無線通信により前記通信プロトコル種類情報を送信可能なプロトコル特定用無線タグ回路素子であることを特徴とする。
【００１４】
これにより、操作者が探索用無線タグ回路素子への通信に用いる通信プロトコルの種類を知らない場合であっても、プロトコル特定用無線タグ回路素子から無線通信により取得した通信プロトコル種類情報に基づき、簡単かつ迅速に探索を行うことができる。
【００１５】
第４の発明は、上記第３発明において、前記第２タグ側アンテナは、前記探索用無線タグ回路素子において前記第１タグ側アンテナを介した無線通信で用いる探索用の前記通信プロトコルとは異なる種類の特定用の前記通信プロトコルを用いて、無線通信により前記通信プロトコル種類情報を送信可能に構成されていることを特徴とする。
【００１６】
これにより、プロトコル特定用無線タグ回路素子からの通信プロトコル種類情報取得と、探索用無線タグ回路素子の探索処理との通信干渉を確実に防止することができる。
【００１７】
第５の発明は、上記第３又は第４発明において、前記第２タグ側アンテナは、前記探索用通信プロトコルより伝送速度が速い前記特定用通信プロトコルを用いて前記通信プロトコル種類情報を送信可能に構成されていることを特徴とする。
【００１８】
これにより、通信対象が限定されるプロトコル種類情報取得時に、通信対象が複数存在しうる探索時よりも通信時間を短くして効率的な取得を行うことができる。この結果、さらに迅速に探索を行うことができる。
【００１９】
第６の発明は、上記第２発明において、前記情報保持部は、前記通信プロトコル種類情報を光学的に記録したバーコード記録部であることを特徴とする。
【００２０】
これにより、操作者が探索用無線タグ回路素子への通信に用いる通信プロトコルの種類を知らない場合であっても、バーコード記録部から光学的に取得した通信プロトコル種類情報に基づき、簡単かつ迅速に探索を行うことができる。
【００２１】
第７の発明は、上記第２乃至第６発明のいずれかにおいて、前記情報保持部は、互いに異なる複数種類の前記探索用無線タグ回路素子にそれぞれ用いられる複数の前記通信プロトコル種類情報と、各通信プロトコル種類別の、対応する前記探索用無線タグ回路素子の数情報とを保持することを特徴とする。
【００２２】
これにより、無線タグ情報読み取り装置側において各通信プロトコルごとの探索用無線タグ回路素子の数を取得することができる。この結果、その取得した数情報と、探索時の通信結果とを対比させ、さらに効率のよい探索を行うことが可能となる。
【００２３】
第８の発明は、上記第７発明において、前記情報保持部は、前記複数の探索用無線タグ回路素子の各使用目的別識別コードごとの数情報を保持することを特徴とする。
【００２４】
これにより、同一通信プロトコルを用いる探索用無線タグ回路素子の中から、無線タグ情報読み取り装置側で、使用目的別識別コードで絞り込んだ形での探索を行うことが可能となる。この結果、さらに効率のよい探索を行うことができる。
【００２５】
上記目的を達成するために、第９の発明は、情報を記憶するＩＣ回路部と情報の送受信を行うタグ側アンテナとを備えた無線タグ回路素子に対し、無線通信により情報の送受信が可能な装置側アンテナと、前記装置側アンテナを介し、所定の通信領域内に位置する探索対象の前記無線タグ回路素子の探索処理を行うための探索処理手段と、前記探索対象無線タグ回路素子への通信を迅速に行うための迅速化情報を保持した情報保持部より、前記迅速化情報を実質的に非接触で読み取って取得する取得手段とを有することを特徴とする。
【００２６】
本願第９発明においては、操作者が、所定の通信領域内に位置する探索対象の無線タグ回路素子を探索するにあたり、まず、取得手段で、その探索対象無線タグ回路素子への通信を迅速に行うための迅速化情報を情報保持部より取得する。そして、その取得した迅速化情報を用いて、装置側アンテナを介した無線通信により探索処理を行う。これにより、情報保持部から取得した迅速化情報に基づき、簡単かつ迅速に探索を行うことができる。
【００２７】
第１０の発明は、上記第９発明において、前記装置側アンテナは、前記無線タグ回路素子に対し複数種類の通信プロトコルを選択的に用いて無線通信により情報の送受信が可能であり、前記取得手段は、前記迅速化情報としての前記探索対象無線タグ回路素子への通信に対応した前記通信プロトコルの種類情報を保持した情報保持部より、前記通信プロトコル種類情報を取得することを特徴とする。
【００２８】
本願第１０発明においては、操作者が、所定の通信領域内に位置する探索対象の無線タグ回路素子を探索するにあたり、まず、取得手段で、その探索対象無線タグ回路素子への通信に用いる通信プロトコルの種類情報を情報保持部より取得する。そして、その取得した通信プロトコルを用いて、装置側アンテナを介した無線通信により探索処理を行う。
【００２９】
これにより、操作者が探索用無線タグ回路素子への通信に用いる通信プロトコルの種類を知らない場合であっても、情報保持部から取得した通信プロトコル種類情報に基づき、簡単かつ迅速に探索を行うことができる。
【００３０】
第１１の発明は、上記第１０発明において、前記取得手段は、前記情報保持部としての、前記通信プロトコル種類情報を前記ＩＣ回路部に記憶したプロトコル特定用の前記無線タグ回路素子より、前記装置側アンテナを介した無線通信により前記通信プロトコル種類情報を取得する無線取得手段であることを特徴とする。
【００３１】
プロトコル特定用無線タグ回路素子から無線取得手段で取得した通信プロトコル種類情報に基づき、簡単かつ迅速に探索を行うことができる。
【００３２】
第１２の発明は、上記第１１発明において、前記無線取得手段は、前記装置側アンテナを介し、特定用通信プロトコルを用いて前記プロトコル特定用無線タグ回路素子から前記通信プロトコル種類情報を取得し、前記探索処理手段は、前記特定用通信プロトコルとは異なる種類の探索用通信プロトコルを用いて前記装置側アンテナを介し前記探索処理を行うことを特徴とする。
【００３３】
これにより、無線取得手段による通信プロトコル種類情報取得と、探索処理手段による探索処理との通信干渉を確実に防止することができる。
【００３４】
第１３の発明は、上記第１２発明において、前記無線取得手段は、前記探索用通信プロトコルよりも伝送速度が速い前記特定用通信プロトコルを用いて前記通信プロトコル種類情報を取得することを特徴とする。
【００３５】
これにより、通信対象が限定されるプロトコル種類情報取得時に、通信対象が複数存在しうる探索時よりも通信時間を短くして効率的な取得を行うことができる。この結果、さらに迅速に探索を行うことができる。
【００３６】
第１４の発明は、上記第１０発明において、前記取得手段は、前記情報保持部としてのバーコード記録部より、光を用いて前記通信プロトコル種類情報を光学的に取得する光学取得手段であることを特徴とする。
【００３７】
バーコード記録部から光学取得手段で取得した通信プロトコル種類情報に基づき、簡単かつ迅速に探索を行うことができる。
【発明の効果】
【００３８】
本発明によれば、無線タグ回路素子に対し簡単かつ迅速に通信を行うことができる。
【発明を実施するための最良の形態】
【００３９】
以下、本発明の一実施の形態を図面を参照しつつ説明する。本実施形態は、本発明の記録媒体及び無線タグ情報読み取り装置を倉庫における在庫管理に適用した例である。
【００４０】
図１は、本実施形態の倉庫において、操作者Ｍが在庫の確認を行う様子を示す図である。
【００４１】
この図１において、倉庫１は出入口１Ａを有しており、この出入口１Ａを介して荷物Ｌの搬入・搬出が行われる。各荷物Ｌには、内容物等を表す荷物情報が書き込まれたＩＣ回路部１５０（第１ＩＣ回路部）及びアンテナ１５１（第１タグ側アンテナ）から構成される無線タグ回路素子Ｔo（詳細は後述）を有する無線タグラベルＴがそれぞれ設けられている。これら荷物Ｌに設けられる無線タグラベルＴとしては、荷物Ｌの用途・内容物等により複数種類の通信プロトコルに対応したものが用いられる。本実施形態に示す例では、倉庫１内に存在する荷物Ｌには、２種類の異なる通信プロトコル（通信周波数に関する規格を含む）に対応した無線タグラベルＴA，ＴBが設けられている。無線タグラベルＴAは通信プロトコルがプロトコルＡ（探索用通信プロトコル）に対応する無線タグ回路素子Ｔo−Ａ（探索用無線タグ回路素子）を備えており、無線タグラベルＴBは通信プロトコルがプロトコルＢ（探索用通信プロトコル）に対応する無線タグ回路素子Ｔo−Ｂ（探索用無線タグ回路素子）を備えている。プロトコルＡ，Ｂの例としては、ＵＨＦ帯ではＩＳＯ／ＩＥＣ  １８０００−６のタイプＡ，Ｂ，Ｃ、ＨＦ帯ではＩＳＯ／ＩＥＣ  １５６９３、ＩＳＯ／ＩＥＣ  １４４４３、ＩＳＯ／ＩＥＣ  １８０００−３  ｍｏｄｅ２等が挙げられる。
【００４２】
また、倉庫１内（例えば出入口１Ａの近傍）には無線タグ回路素子Ｔo−Ｐを有する無線タグラベルＴPが設けられている。この無線タグラベルＴP（記録媒体）に備えられる無線タグ回路素子Ｔo−Ｐ（情報保持部、プロトコル特定用無線タグ回路素子）は、上記通信プロトコルＡ，Ｂとは異なるプロトコルＣ（特定用通信プロトコル）に対応しており、そのＩＣ回路部１５０（後述の図４参照）には、倉庫１内に存在する荷物Ｌの無線タグラベルＴの通信プロトコルの種類に関する情報（この例ではプロトコルＡ及びプロトコルＢ）が記憶保持されている。なお、上記プロトコルＣには、プロトコルＡ，Ｂよりも伝送速度の速いプロトコルが採用されている。例えばプロトコルＡ，ＢがＩＳＯ／ＩＥＣ  １８０００−６のタイプＡ，Ｂである場合、プロトコルＣはＩＳＯ／ＩＥＣ  １８０００−６のタイプＣが採用される。
【００４３】
操作者Ｍが荷物Ｌの在庫の有無を調べるときには、携帯型のハンディスキャナ２００（無線タグ情報読み取り装置）を携帯して倉庫１内に入り、そのハンディスキャナ２００でまず無線タグラベルＴPに備えられる無線タグ回路素子Ｔo−Ｐから、倉庫１内に存在する荷物Ｌの無線タグラベルＴの通信プロトコルの種類に関する情報の読み取りを行う。そして、その通信プロトコルを用いて、倉庫１内の複数の荷物Ｌに対し無線通信により情報の読み取りを行う（詳細は後述）。
【００４４】
図２は、本実施形態のハンディスキャナ２００の概略機能構成を表す機能構成図である。なお、図中に示す矢印は信号の流れの一例を示すものであり、信号の流れ方向を限定するものではない。
【００４５】
図２において、ハンディスキャナ２００は、タグラベルＴP，ＴA，ＴBにそれぞれ備えられる無線タグ回路素子Ｔo−Ｐ，Ｔo−Ａ，Ｔo−Ｂの各アンテナ１５１との間で無線通信により信号の授受を行うアンテナ２１０（装置側アンテナ）と、このアンテナ２１０を介し上記無線タグ回路素子Ｔo−Ｐ，Ｔo−Ａ，Ｔo−Ｂの各ＩＣ回路部１５０へ無線通信によりアクセスするとともに、その無線タグ回路素子Ｔo−Ｐ，Ｔo−Ａ，Ｔo−Ｂから読み出された信号を処理する高周波回路２０１と、読み取った無線タグ情報に関する表示等を行う表示部２０５と、情報の読み込みや書き込みを行う際に操作者Ｍが操作を行う操作部２０６（例えばボタン、スイッチ等）と、情報の読み取りや書き込みがうまくいかなかった場合に報知を行う例えばスピーカ等の音声報知手段２０７と、上記高周波回路２０１、表示部２０５、操作部２０６及び音声報知手段２０７と接続された制御回路２０２とを有する。
【００４６】
図３は、本実施形態のハンディスキャナ２００の全体概略構造を表す正面図である。図３において、このハンディスキャナ２００は、筐体２０４と、この筐体２０４の上部（図３中手前側）の大部分を占めるように配設され、各種情報の内容や警告等の表示を行う上記表示部２０５と、筐体２０４の側面に配設され、情報の読み込みや書き込みを行う際に操作者Ｍが操作を行う上記操作部２０６（例えばボタン、スイッチ等）と、情報の読み取りや書き込みがうまくいかなかった場合に報知を行う例えばスピーカ等の上記音声報知手段２０７とを備えている。また、筐体２０４には上記のアンテナ２１０が取り付けられている。
【００４７】
図４は、タグラベルＴPに備えられた上記無線タグ回路素子Ｔo−Ｐの機能的構成の一例を表すブロック図である。なお、タグラベルＴA，ＴBに備えられた上記無線タグ回路素子Ｔo−Ａ，Ｔo−Ｂについても当該無線タグ回路素子Ｔo−Ｐと同等の機能的構成であるので、符号を一緒にして説明する。また、この図４中に示す矢印は信号の流れの一例を示すものであり、信号の流れ方向を限定するものではない。
【００４８】
図４において、無線タグ回路素子Ｔo−Ｐ（又は無線タグ回路素子Ｔo−Ａ，Ｔo−Ｂ）は、ハンディスキャナ２００のアンテナ２１０と非接触で信号の送受信を行う上記アンテナ１５１（第２タグ側アンテナ）と、このアンテナ１５１に接続された上記ＩＣ回路部１５０（第２ＩＣ回路部）とをそれぞれ有している。
【００４９】
ＩＣ回路部１５０は、アンテナ１５１により受信された質問波を整流する整流部１５２と、この整流部１５２により整流された質問波のエネルギを蓄積しＩＣ回路部１５０の駆動電源とするための電源部１５３と、上記アンテナ１５１により受信された質問波からクロック信号を抽出して後述する制御部１５７に供給するクロック抽出部１５４と、所定の情報信号を記憶し得る情報記憶部として機能するメモリ部１５５と、上記アンテナ１５１に接続された変復調部１５６と、上記整流部１５２、クロック抽出部１５４及び変復調部１５６等を介して上記無線タグ回路素子Ｔo−Ｐ，Ｔo−Ａ，Ｔo−Ｂの作動を制御するための制御部１５７とを備えている。
【００５０】
変復調部１５６は、アンテナ１５１により受信された上記ハンディスキャナ２００のアンテナ２１０からの通信信号の復調を行うと共に、上記制御部１５７からの返信信号に基づき、アンテナ１５１が受信した質問波を変調し、アンテナ１５１より応答波として再送信する。制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００５１】
クロック抽出部１５４は受信した信号からクロック成分を抽出して制御部１５７にクロックを抽出するものであり、受信した信号のクロック成分の速度に対応したクロックを制御部１５７に供給する。
【００５２】
図５は、上記タグラベルＴPの無線タグ回路素子Ｔo−ＰのＩＣ回路部１５０の上記メモリ部１５５のデータ構成の一例を表す図である。
【００５３】
この図５に示す例では、無線タグ回路素子Ｔo−ＰのＩＣ回路部１５０の上記メモリ部１５５に記憶されるデータは、タグ固有の識別情報であるＵＩＤと、倉庫１内に存在する荷物Ｌの無線タグラベルＴの無線タグ回路素子Ｔoとの通信に用いられる通信プロトコルの種類に関するプロトコル種別情報（本実施形態ではプロトコルＡ及びプロトコルＢ）と、各通信プロトコル種類別の対応する無線タグ回路素子Ｔo（無線タグラベルＴ）の個数情報とを有している。すなわち、本実施形態に示す例では、個数情報はプロトコルＡについては５個、プロトコルＢについては６個となる（図１参照）。
【００５４】
このタグラベルＴPの無線タグ回路素子Ｔo−Ｐの記憶内容の更新は、例えば毎日倉庫１における搬入・搬出作業の終了後の夜間等に守衛等によって行われる。なお、倉庫１に荷物Ｌの搬入・搬出作業を行う度にその作業者が更新を行うようにしてもよい。
【００５５】
なお、上記プロトコル種別情報は、特許請求の範囲各項記載の無線タグ回路素子への通信を迅速に行うための迅速化情報に相当する。
【００５６】
図６は、上記ハンディスキャナ２００の制御系の構成を表す機能ブロック図である。なお、図中に示す矢印は信号の流れの一例を示すものであり、信号の流れ方向を限定するものではない。
【００５７】
図６において、高周波回路２０１は、アンテナ２１０を介し無線タグ回路素子Ｔo−Ｐ，Ｔo−Ａ，Ｔo−Ｂに対して信号を送信する送信部２１２と、アンテナ２１０により受信された無線タグ回路素子Ｔo−Ｐ，Ｔo−Ａ，Ｔo−Ｂからの反射波を入力する受信部２１３と、送受分離器２１４とから構成される。
【００５８】
送信部２１２は、無線タグ回路素子Ｔo−Ｐ，Ｔo−Ａ，Ｔo−ＢのＩＣ回路部１５０の無線タグ情報を読み取るための搬送波を発生させる水晶振動子２３０、制御回路２０２の制御により所定の周波数の信号を発生させるＰＬＬ（Phase  Locked  Loop）２３１、及びＶＣＯ（Voltage  Controlled  Oscillator）２３２と、上記制御回路２０２から供給される信号に基づいて上記発生させられた搬送波を変調（この例では制御回路２０２からの「ＴＸ＿ＡＳＫ」信号に基づく振幅変調）する送信乗算回路２１６（但し「ＴＸ＿ＡＳＫ信号」の場合は増幅率可変アンプ等を用いてもよい）と、その送信乗算回路２１６により変調された変調波を増幅（この例では制御回路２０２からの「ＴＸ＿ＰＷＲ」信号によって増幅率を決定される増幅）する可変送信アンプ２１７とを備えている。そして、上記発生される搬送波は、好適にはＵＨＦ帯、マイクロ波帯、あるいは短波帯の周波数を用いており、上記送信アンプ２１７の出力は、送受分離器２１４を介しアンテナ１０に伝達されて、無線タグ回路素子Ｔo−Ｐ，Ｔo−Ａ，Ｔo−ＢのＩＣ回路部１５０に供給される。なお、無線タグ情報は上記のように変調した信号に限られず、単なる搬送波のみの場合もある。
【００５９】
受信部２１３は、アンテナ２１０で受信された無線タグ回路素子Ｔo−Ｐ，Ｔo−Ａ，Ｔo−Ｂからの反射波と上記発生させられた搬送波とを乗算して復調する受信第１乗算回路２１８と、その受信第１乗算回路２１８の出力から必要な帯域の信号のみを取り出すための第１バンドパスフィルタ２１９と、この第１バンドパスフィルタ２１９の出力を増幅する受信第１アンプ２２１と、この受信第１アンプ２２１の出力をさらに増幅してデジタル信号に変換する第１リミッタ２２０と、上記アンテナ２１０で受信された無線タグ回路素子Ｔo−Ｐ，Ｔo−Ａ，Ｔo−Ｂからの反射波と上記発生された後に移相器２２７により位相を９０°遅らせた搬送波とを乗算する受信第２乗算回路２２２と、その受信第２乗算回路２２２の出力から必要な帯域の信号のみを取り出すための第２バンドパスフィルタ２２３と、この第２バンドパスフィルタ２２３の出力を増幅する受信第２アンプ２２５と、この受信第２アンプ２２５の出力をさらに増幅してデジタル信号に変換する第２リミッタ２２４とを備えている。そして、上記第１リミッタ２２０から出力される信号「ＲＸＳ−Ｉ」及び第２リミッタ２２４から出力される信号「ＲＸＳ−Ｑ」は、上記制御回路２０２に入力されて処理される。
【００６０】
また、受信第１アンプ２２１及び受信第２アンプ２２５の出力は、強度検出手段としてのＲＳＳＩ（Received  Signal  Strength  Indicator)回路２２６にも入力され、それらの信号の強度を示す信号「ＲＳＳＩ」が制御回路２０２に入力されるようになっている。このようにして、本実施形態のハンディスキャナ２００では、Ｉ−Ｑ直交復調によって無線タグ回路素子Ｔo−Ｐ，Ｔo−Ａ，Ｔo−Ｂからの反射波の復調が行われる。
【００６１】
また、制御回路２０２は、操作部２０６からの操作信号を入力するとともに、表示部２０５への表示制御信号、音声報知手段２０７への報知信号等を出力する。
【００６２】
図７は、上記制御回路２０２の詳細機能を表す機能ブロック図である。
【００６３】
図７において、制御回路２０２は、いわゆるマイクロコンピュータであり、中央演算処理装置であるＣＰＵ２０２Ａ、ＲＯＭ２０２Ｂ、ＲＡＭ２０２Ｃ、高周波回路２０１との信号送受を行う回路制御部２０２Ｄ等から構成され、ＲＡＭ２０２Ｃの一時記憶機能を利用しつつＲＯＭ２０２Ｂに予め記憶されたプログラムに従って信号処理を行うようになっている。
【００６４】
以上において、本実施形態の特徴は、前述したように、操作者Ｍが荷物Ｌの在庫の有無を調べるときには、携帯型のハンディスキャナ２００で無線タグラベルＴPに備えられる無線タグ回路素子Ｔo−Ｐから、倉庫１内に存在する荷物Ｌの無線タグラベルＴの通信プロトコルの種類に関する情報の読み取りを行う。そして、そのプロトコルを用いて、倉庫１内の複数の荷物Ｌに対し無線通信により情報の読み取りを行う。以下、その詳細について、特定の荷物Ｌ（対応する無線タグ回路素子ＴoのＵＩＤを把握している荷物Ｌ）について在庫確認する場合と、倉庫１内に存在する荷物Ｌについて在庫一覧を作成する場合とに分けて説明する。
【００６５】
まず、特定の荷物Ｌ（対応する無線タグ回路素子ＴoのＵＩＤを把握している荷物Ｌ）について在庫確認する場合について説明する。
【００６６】
図８（ａ）は、この場合に上記制御回路２０２が実行する制御手順を表すフローチャートであり、図８（ｂ）はこのフロー中のステップＳ２０が実行された際における制御回路２０２のメモリ（例えば上記ＲＡＭ２０２Ｃ）のデータ構成の一例を概念的に表す図である。例えばハンディスキャナ２００の操作部２０６が操作されることによって、このフローが開始される。
【００６７】
この図８（ａ）において、まずステップ１０において、高周波回路２０１に制御信号を出力し、前述した通信プロトコルＣに基づき無線タグ回路素子Ｔo−Ｐに記憶された無線タグ情報をＵＩＤを指定して読み出す特定探索信号を無線タグラベルＴPの無線タグ回路素子Ｔo−Ｐ（図中には「種別タグ」と記載）に送信し、返信を促す。そして、これに対応して無線タグ回路素子Ｔo−Ｐから送信されたリプライ信号をアンテナ２１０及び高周波回路２０１を介し取り込む。なお、本ステップの通信において使用する無線タグ回路素子Ｔo−ＰのＵＩＤ及び対応する通信プロトコルＣは、例えば倉庫１内に表示する等により周知化を図り、操作者Ｍが読み取りを行う際に設定するようにしてもよいし、予めハンディスキャナ２００内に記憶されており自動的に設定されるようにしてもよい。
【００６８】
次のステップＳ２０では、上記ステップＳ１０で受信したリプライ信号に基づき、倉庫１内に存在する荷物Ｌの無線タグラベルＴの通信プロトコルの種類に関するプロトコル種別情報（この例ではプロトコルＡ及びプロトコルＢ、及びプロトコルの取得数２）を取得し、メモリ（ＲＡＭ２０２Ｃ等）に記憶する。このときの制御回路２０２のメモリのデータ構成は図８（ｂ）に示すようになる。この図８（ｂ）に示すように、制御回路２０２のメモリは、取得したプロトコルの数を表す取得数Ｎ（この例では「２」）と、メモリ内の番地１〜Ｎに順番に格納されたプロトコル情報（この例では番地１にプロトコルＡ、番地２にプロトコルＢ）とを有している。
【００６９】
次のステップＳ３０では、上記メモリ（ＲＡＭ２０２Ｃ等）の番地Ｎからプロトコル情報（この例ではプロトコルＢ）を読み取り、このプロトコル情報に基づき、今回の通信で使用する通信プロトコルを設定する。
【００７０】
その後、ステップＳ４０では、高周波回路２０１に制御信号を出力し、上記ステップＳ３０で設定した通信プロトコルＢに基づき無線タグ回路素子Ｔo−Ｂ（図中には「荷物タグ」と記載）に記憶された無線タグ情報をＵＩＤを指定して読み出す特定探索信号を無線タグラベルＴBの無線タグ回路素子Ｔo−Ｂに送信し、返信を促す。
【００７１】
次のステップＳ５０では、上記ステップＳ４０で送信した特定探索信号に対応し、無線タグ回路素子Ｔo−Ｂからリプライ信号をアンテナ２１０を介し受信したか否かを判定する。受信している場合には、判定が満たされてステップＳ５５に移り、表示部２０５に表示信号を出力して探索対象である特定の荷物Ｌがあった旨の表示（例えば「在庫がありました」）を行い、次のステップＳ６０に移る。
【００７２】
一方、上記ステップＳ５０においてリプライ信号を受信していない場合には、判定が満たされずにステップＳ９０に移り、表示部２０５に表示信号を出力して探索対象である特定の荷物Ｌがなかった旨の表示（例えば「在庫がありません」）を行い、次のステップＳ６０に移る。
【００７３】
ステップＳ６０では、上記取得数Ｎから１を減じて次のステップＳ７０に移る。
【００７４】
ステップＳ７０では、上記取得数Ｎが０であるか否かを判定する。例えば本例では、以上の手順でプロトコルＢの設定を行った後ステップＳ６０で取得数Ｎ＝１となっているので、判定が満たされずに先のステップＳ３０に戻る。そしてステップＳ３０において、上記メモリの番地Ｎ（ここではＮ＝１）からプロトコル情報（ここではプロトコルＡ）を読み取り、このプロトコル情報に基づき通信プロトコルをプロトコルＡに設定する。その後同様にステップＳ４０〜ステップＳ５５又はステップＳ９０を繰り返すと、ステップＳ６０で取得数Ｎ＝０となる。これにより、ステップＳ７０の判定が満たされて、本フローを終了する。
【００７５】
上記において、ステップＳ４０〜ステップＳ５０の手順は、特許請求の範囲各項記載の装置側アンテナを介し所定の通信領域内に位置する探索対象の無線タグ回路素子の探索処理を行うための探索処理手段を構成し、またステップＳ１０〜ステップＳ２０の手順は、探索対象無線タグ回路素子への通信を迅速に行うための迅速化情報を保持した情報保持部より、迅速化情報を実質的に非接触で読み取って取得する取得手段を構成するとともに、情報保持部としての通信プロトコル種類情報をＩＣ回路部に記憶したプロトコル特定用の無線タグ回路素子より、装置側アンテナを介した無線通信により通信プロトコル種類情報を取得する無線取得手段を構成する。
【００７６】
なお、上記フローは本発明を上記フローに示す手順に限定するものではなく、例えば番地１から開始して番地が１ずつ増えていく順番でプロトコルを設定する（すなわち上記例ではプロトコルＡ設定後プロトコルＢを設定する）等、発明の趣旨及び技術的思想を逸脱しない範囲内で手順の追加・削除・置換又は順番の変更等をしてもよい。
【００７７】
また、上記では特に記載しなかったが、無線タグラベルＴPの無線タグ回路素子Ｔo−Ｐからのプロトコル種別情報の読み取りと、荷物Ｌの無線タグラベルＴA，ＴBの無線タグ回路素子Ｔo−Ａ，Ｔo−Ｂからの荷物情報を読み取りを、操作者Ｍによる読み取り開始指示の入力を待ってからそれぞれ行うようにしてもよい。
【００７８】
次に、倉庫１内に存在する荷物Ｌについて在庫一覧を作成する場合について説明する。
【００７９】
図９は、この場合に上記制御回路２０２が実行する制御手順を表すフローチャートである。例えばハンディスキャナ２００の操作部２０６が操作されることによって、このフローが開始される。
【００８０】
まずステップ１０５において、高周波回路２０１に制御信号を出力し、前述した通信プロトコルＣに基づき無線タグ回路素子Ｔo−Ｐに記憶された無線タグ情報をＵＩＤを指定して読み出す特定探索信号を無線タグラベルＴPの無線タグ回路素子Ｔo−Ｐ（図中には「種別タグ」と記載）に送信し、返信を促す。そして、これに対応して無線タグ回路素子Ｔo−Ｐから送信されたリプライ信号をアンテナ２１０及び高周波回路２０１を介し取り込む。
【００８１】
次のステップＳ１１０では、上記ステップＳ１０で受信したリプライ信号に基づき、倉庫１内に存在する荷物Ｌの無線タグラベルＴの通信プロトコルの種類に関するプロトコル種別情報（この例ではプロトコルＡ及びプロトコルＢ）を取得する。
【００８２】
次のステップＳ１１５では、上記ステップＳ１０で受信したリプライ信号に基づき、各通信プロトコル種類別の対応する無線タグ回路素子Ｔoの個数情報（この例では、プロトコルＡについての個数情報Ｍｍａｘ＝５、プロトコルＢについての個数情報Ｎｍａｘ＝６となる）を取得する。
【００８３】
次のステップＳ１２０では、プロトコルＡにおいて情報読み取りを行った無線タグ回路素子Ｔo−Ａの数を数えるための変数Ｍ、及びプロトコルＢにおいて情報読み取りを行った無線タグ回路素子Ｔo−Ｂの数を数えるための変数Ｎを１に初期化する。
【００８４】
次のステップＳ１２５では、変数ＭがＭｍａｘより大きいか否かを判定する。変数ＭがＭｍａｘ以下である場合には、判定が満たされずに次のステップＳ１３０に移る。
【００８５】
次のステップＳ１３０では、上記ステップ１１０で取得したプロトコル種別情報に基づき、今回の通信で使用する通信プロトコルを設定する。このとき、プロトコル種別情報に複数の通信プロトコルが含まれる場合には、その複数のプロトコルのうちの１つのプロトコル（この例ではプロトコルＡ）に設定する。
【００８６】
次のステップＳ１３５では、高周波回路２０１に制御信号を出力し、上記ステップＳ３０で設定した通信プロトコルＡに基づき無線タグ回路素子Ｔo−Ａ（図中には「荷物タグ」と記載）に記憶されたＵＩＤを読み出すための不特定探索信号を無線タグラベルＴAの無線タグ回路素子Ｔo−Ａに送信し、返信を促す。
【００８７】
次のステップＳ１４０では、上記ステップＳ１３５で送信した不特定探索信号に対応し、無線タグ回路素子Ｔo−Ａからリプライ信号をアンテナ２１０を介し受信したか否かを判定する。受信した場合には、判定が満たされてステップＳ１４５に移る。
【００８８】
ステップ１４５では、高周波回路２０１に制御信号を出力し、通信プロトコルＡに基づき無線タグ回路素子Ｔo−Ａに記憶された無線タグ情報を上記ステップＳ１４０で受信したＵＩＤを指定して読み出す特定探索信号を無線タグラベルＴAの無線タグ回路素子Ｔo−Ａ（図中には「荷物タグ」と記載）に送信し、返信を促す。そして、これに対応して無線タグ回路素子Ｔo−Ａから送信されたリプライ信号をアンテナ２１０及び高周波回路２０１を介し取り込む。これにより、荷物Ｌの荷物情報が取得される。
【００８９】
次のステップＳ１５０では、高周波回路２０１に制御信号を出力し、通信プロトコルＡに基づき無線タグ回路素子Ｔo−Ａにリプライ信号を返信しないようにさせる休眠化信号（スリープコマンド信号）を、上記ステップＳ１４５で情報読み取りを行った無線タグラベルＴAの無線タグ回路素子Ｔo−Ａに対し送信する。これにより、送信した無線タグ回路素子Ｔo−Ａは探索信号を受信してもリプライ信号を返信しなくなる。
【００９０】
次のステップＳ１５５では、上記変数Ｍに１を加えステップＳ１６０に移る。ステップＳ１６０では、倉庫１内に存在する全ての荷物Ｌの無線タグラベルＴについて情報の読みとりが終了したか否かを判定する。終了していない場合には、先のステップＳ１２５に戻る。
【００９１】
一方、先のステップＳ１２５で変数ＭがＭｍａｘより大きい場合、及び先のステップＳ１４０でリプライ信号を受信しなかった場合には、ステップＳ１６５に移り、変数ＮがＮｍａｘより大きいか否かを判定する。大きい場合には、判定が満たされて本フローを終了する。一方、変数ＮがＮｍａｘ以下である場合には、判定が満たされずに次のステップＳ１７０に移る。
【００９２】
次のステップＳ１７０では、上記ステップ１１０で取得したプロトコル種別情報に基づき、先のステップＳ１３０で設定したプロトコルとは異なる通信プロトコル（この例ではプロトコルＢ）を設定する。
【００９３】
次のステップＳ１７５では、高周波回路２０１に制御信号を出力し、上記ステップＳ１７０で設定した通信プロトコルＢに基づき無線タグ回路素子Ｔo−Ｂ（図中には「荷物タグ」と記載）に記憶されたＵＩＤを読み出すための不特定探索信号を無線タグラベルＴBの無線タグ回路素子Ｔo−Ｂに送信し、返信を促す。
【００９４】
次のステップＳ１８０では、上記ステップＳ１７５で送信した不特定探索信号に対応し、無線タグ回路素子Ｔo−Ｂからリプライ信号をアンテナ２１０を介し受信したか否かを判定する。受信した場合には、判定が満たされてステップＳ１４５に移る。
【００９５】
ステップ１８５では、高周波回路２０１に制御信号を出力し、通信プロトコルＢに基づき無線タグ回路素子Ｔo−Ｂに記憶された無線タグ情報を上記ステップＳ１８０で受信したＵＩＤを指定して読み出す特定探索信号を無線タグラベルＴBの無線タグ回路素子Ｔo−Ｂ（図中には「荷物タグ」と記載）に送信し、返信を促す。そして、これに対応して無線タグ回路素子Ｔo−Ｂから送信されたリプライ信号をアンテナ２１０及び高周波回路２０１を介し取り込む。これにより、荷物Ｌの荷物情報が取得される。
【００９６】
次のステップＳ１９０では、高周波回路２０１に制御信号を出力し、通信プロトコルＢに基づき無線タグ回路素子Ｔo−Ｂにリプライ信号を返信しないようにさせる休眠化信号（スリープコマンド信号）を、上記ステップＳ１８５で情報読み取りを行った無線タグラベルＴBの無線タグ回路素子Ｔo−Ｂに対し送信する。これにより、送信した無線タグ回路素子Ｔo−Ｂは探索信号を受信してもリプライ信号を返信しなくなる。
【００９７】
次のステップＳ１９５では、上記変数Ｎに１を加えステップＳ１６０に移る。ステップＳ１６０では、前述したように倉庫１内に存在する全ての荷物Ｌの無線タグラベルＴについて情報の読みとりが終了したか否かを判定する。終了していない場合には、先のステップＳ１２５に戻る。一方、終了している場合には、次のステップＳ１９９に移る。
【００９８】
ステップＳ１９９では、表示部２０５に表示信号を送信し、以上の手順により読み取った情報に基づき倉庫１内に存在する全荷物Ｌについての在庫一覧を表示させる。そして、本フローを終了する。
【００９９】
上記において、ステップＳ１３５〜ステップＳ１４０及びステップＳ１７５〜ステップＳ１８０の手順は、特許請求の範囲各項記載の装置側アンテナを介し所定の通信領域内に位置する探索対象の無線タグ回路素子の探索処理を行うための探索処理手段を構成し、またステップＳ１０５〜ステップＳ１１０の手順は、探索対象無線タグ回路素子への通信に対応した通信プロトコルの種類情報を保持した情報保持部より、通信プロトコル種類情報を実質的に非接触で読み取って取得する取得手段を構成するとともに、情報保持部としての通信プロトコル種類情報をＩＣ回路部に記憶したプロトコル特定用の無線タグ回路素子より、装置側アンテナを介した無線通信により通信プロトコル種類情報を取得する無線取得手段を構成する。
【０１００】
以上説明した本実施形態の無線タグラベルＴPにおいては、無線タグ回路素子Ｔo−Ｐに、倉庫１内の荷物Ｌに設けられた無線タグ回路素子Ｔo−Ａ，Ｔo−Ｂへの通信で用いる通信プロトコルの種類を表すプロトコル種別情報が記憶保持されている。これにより、操作者Ｍが、所定の通信領域内に位置する探索対象の無線タグ回路素子Ｔo−Ａ，Ｔo−Ｂを探索するにあたり、まず、その探索対象である無線タグ回路素子Ｔo−Ａ，Ｔo−Ｂへの通信に用いる通信プロトコルの種類情報を無線タグラベルＴPより取得する。そして、その取得した通信プロトコルを用いて、ハンディスキャナ２００で無線通信により探索処理を行う。
【０１０１】
これにより、操作者Ｍが探索対象である無線タグ回路素子Ｔoへの通信に用いる通信プロトコルの種類を知らない場合であっても、無線タグ回路素子Ｔo−Ｐから取得した通信プロトコル種類情報に基づき、簡単かつ迅速に探索対象である無線タグ回路素子Ｔoの探索を行うことができる。
【０１０２】
また、本実施形態では特に、無線タグ回路素子Ｔo−Ｐを、無線タグ回路素子Ｔo−Ａ，Ｔo−Ｂにおいてアンテナ１５１を介した無線通信で用いる通信プロトコルＡ，Ｂとは異なる種類の通信プロトコルＣを用いて、無線通信によりプロトコル種別情報を送信可能に構成する。これにより、無線タグ回路素子Ｔo−Ｐとの間でプロトコル種別情報を取得するために行う無線通信と、無線タグ回路素子Ｔo−Ａ，Ｔo−Ｂとの間で行う無線通信との通信干渉を確実に防止することができる。
【０１０３】
また、本実施形態では特に、無線タグ回路素子Ｔo−Ｐのプロトコルとして、無線タグ回路素子Ｔo−Ａ，Ｔo−Ｂにおいてアンテナ１５１を介した無線通信で用いる通信プロトコルＡ，Ｂより伝送速度が速い通信プロトコルＣを採用する。これにより、通信対象が無線タグ回路素子Ｔo−Ｐに限定されるプロトコル種別情報取得時に、通信対象が複数存在しうる荷物Ｌの無線タグ回路素子Ｔo−Ａ，Ｔo−Ｂの探索時よりも通信時間を短くして効率的な情報取得を行うことができる。この結果、さらに迅速に探索を行うことができる。
【０１０４】
また、本実施形態では特に、無線タグ回路素子Ｔo−Ｐに、プロトコル種別情報とは別に、各通信プロトコル種類別の対応する無線タグ回路素子Ｔoの数情報とを記憶保持させる。これにより、ハンディスキャナ２００側において各通信プロトコルごとの無線タグ回路素子Ｔoの数を取得することができる。この結果、その取得した数情報と、探索時の通信結果とを対比させ、さらに効率がよく漏れのない探索を行うことができる。
【０１０５】
なお、本発明は、上記実施形態に限られるものではなく、その趣旨及び技術的思想を逸脱しない範囲内で種々の変形が可能である。以下、そのような変形例を順を追って説明する。
【０１０６】
（１）プロトコル種別情報をバーコードの読み取りで取得する場合
上記実施形態では、無線通信により無線タグラベルＴPに備えられる無線タグ回路素子Ｔo−Ｐからプロトコル種別情報を取得するようにしたが、これに限られず、例えばプロトコル種別情報をバーコードの読み取りで取得するようにしてもよい。
【０１０７】
図１０は本変形例のハンディスキャナ２００’の概略機能構成を表す機能構成図であり、前述の図２に対応する図である。図２と同様の部分には同符号を付し説明を省略する。なお、図中に示す矢印は信号の流れの一例を示すものであり、信号の流れ方向を限定するものではない。
【０１０８】
この図１０に示すように、ハンディスキャナ２００’は、倉庫１内（例えば出入口１Ａ近傍）に設けられた部材Ｂに印刷されたバーコードＣの情報を光学的に検出するバーコードリーダ２０８を有している。上記バーコードＣ（情報保持部、バーコード記録部）には、倉庫１内に存在する荷物Ｌの無線タグラベルＴの通信プロトコルの種類に関するプロトコル種別情報と、各通信プロトコル種類別の対応する無線タグ回路素子Ｔoの個数情報が光学的に記録されており、ハンディスキャナ２００’のバーコードリーダ２０８でバーコードＣを検出することにより、プロトコル種別情報を取得できるようになっている。
【０１０９】
図１１は、特定の荷物Ｌ（対応する無線タグ回路素子ＴoのＵＩＤを把握している荷物Ｌ）について在庫確認する場合にハンディスキャナ２００’の制御回路２０２’（図１０参照）が実行する制御手順を表すフローチャートであり、前述の図８に対応する図である。
【０１１０】
この図１１において、まずステップＳ１０Ａでは、ハンディスキャナ２００’のバーコードリーダ２０８でバーコードＣを検出する。次のステップＳ２０では、上記検出結果に基づきプロトコル種別情報を取得しメモリ（例えば上記ＲＡＭ２０２Ｃ）に記憶する。その後のステップＳ３０〜ステップＳ９０は前述の図８と同様であるので説明を省略する。
【０１１１】
上記において、ステップＳ１０Ａ〜ステップＳ２０の手順は、特許請求の範囲各項記載の情報保持部としてのバーコード記録部より、光を用いて通信プロトコル種類情報を光学的に取得する光学取得手段を構成する。
【０１１２】
図１２は、倉庫１内に存在する荷物Ｌについて在庫一覧を作成する場合に制御回路２０２’が実行する制御手順を表すフローチャートであり、前述の図９に対応する図である。
【０１１３】
この図１２において、まずステップＳ１０５Ａでは、ハンディスキャナ２００’のバーコードリーダ２０８でバーコードＣを検出する。そして、次のステップＳ１１０及びステップＳ１１５では、上記検出結果に基づきプロトコル種別情報及び個数情報を取得する。その後のステップＳ１２０〜ステップＳ１９９は前述の図９と同様であるので説明を省略する。
【０１１４】
上記において、ステップＳ１０５Ａ〜ステップＳ１１０の手順は、特許請求の範囲各項記載の情報保持部としてのバーコード記録部より、光を用いて通信プロトコル種類情報を光学的に取得する光学取得手段を構成する。
【０１１５】
以上説明した変形例によれば、上記実施形態と同様に、操作者Ｍが荷物Ｌに設けられた無線タグラベルＴA，ＴBが有する無線タグ回路素子Ｔo−Ａ，Ｔo−Ｂへの通信に用いる通信プロトコルの種類を知らない場合であっても、バーコードＣから光学的に取得したプロトコル種別情報に基づき、簡単かつ迅速に探索対象である無線タグ回路素子Ｔoの探索を行うことができる。
【０１１６】
（２）使用目的別識別コードを記憶保持する場合
上記実施形態では特に説明しなかったが、図１３に示すように、無線タグ回路素子Ｔo−ＰのＩＣ回路部１５０のメモリ部１５５に、タグ固有の識別情報であるＵＩＤと、倉庫１内に存在する荷物Ｌの無線タグラベルＴの通信プロトコルの種類に関するプロトコル種別情報と、複数の荷物Ｌの無線タグ回路素子Ｔoの各使用目的別識別情報（いわゆるＡＦＩコード）ごとの数情報とを記憶保持させるようにしてもよい。これにより、同一通信プロトコルを用いる無線タグ回路素子Ｔoの中から、ハンディスキャナ２００側で、使用目的別識別コードで絞り込んだ形での探索を行うことが可能となる。この結果、例えば用途に応じて分類した上で無線タグ回路素子Ｔoの探索を行う等が可能となり、さらに効率がよく利便性を向上させた探索を行うことができる。
【０１１７】
（３）その他
なお、以上では、無線タグ回路素子Ｔoへの通信を迅速に行うための迅速化情報として、倉庫１内に存在する荷物Ｌの無線タグ回路素子Ｔoとの通信に用いられる通信プロトコルの種類に関するプロトコル種別情報を用いるようにしたが、これに限られない。すなわち、例えば無線タグ回路素子Ｔoとの通信に用いられる通信周波数を表す情報でもよいし、タグの識別情報であるＩＤの範囲を表す情報（倉庫１内にはＩＤがこの範囲だけのものがあるという情報、又はＩＤが色々混在しているが、通常探索するのはこのＩＤの範囲のみ指定すればよいという情報）等でもよい。
【０１１８】
また、以上では特に記載しなかったが、ハンディスキャナ２００で倉庫１内の荷物Ｌのスキャンを行った結果、無線タグ回路素子Ｔo−Ｐから読み取った個数情報と異なる数の無線タグ回路素子Ｔoを検出した場合には、その結果を無線タグ回路素子Ｔo−Ｐに更新して書き込むようにしてもよい。例えば、上記実施形態に示す例において、プロトコルＡに対応する無線タグ回路素子Ｔo−Ａは５個であるのに対し、実際にスキャンを行うと７個の無線タグ回路素子Ｔo−Ａが検出された場合等である。このようにすることで、無線タグ回路素子Ｔo−Ｐに記憶された個数情報の信頼性を向上することができる。
【０１１９】
また、以上では特に記載しなかったが、例えば複数の倉庫に荷物を格納するような場合に、どの倉庫であるかを識別するために各倉庫に場所情報を記憶させた無線タグ回路素子Ｔo（いわゆる場所タグ）を設ける場合がある。このような場合においては、上記実施形態のようにプロトコル種別情報等を記憶させるための無線タグ回路素子Ｔo−Ｐ（種別タグ）を独立して設けずに、上記場所タグにプロトコル種別情報等書き込んで場所タグと種別タグとを兼用するようにしてもよい。
【０１２０】
また、以上では、本発明の記録媒体及び無線タグ情報読み取り装置を倉庫における在庫管理に適用した場合を一例として示したが、本発明の適用対象をこれに限るものではない。例えば、複数の商品が陳列された商品棚の中から特定の商品をさがしたりそれらの商品の一覧を作成する場合等、複数のプロトコルに対応した複数の無線タグ回路素子Ｔoが所定の通信領域内に存在する中で、プロトコルのわからない無線タグ回路素子Ｔoを探索対象として探索したり、それら複数の無線タグ回路素子Ｔoの一覧を作成するような場合であれば、適用可能である。
【０１２１】
また、以上既に述べた以外にも、上記実施形態や各変形例による手法を適宜組み合わせて利用しても良い。
【０１２２】
その他、一々例示はしないが、本発明は、その趣旨を逸脱しない範囲内において、種々の変更が加えられて実施されるものである。
【図面の簡単な説明】
【０１２３】
【図１】本発明の記録媒体及び無線タグ情報読み取り装置の一実施形態を用いて操作者が倉庫内の在庫の確認を行う様子を示す図である。
【図２】本発明の無線タグ情報読み取り装置の一実施形態であるハンディスキャナの概略機能構成を表す機能構成図である。
【図３】ハンディスキャナの全体概略構造を表す正面図である。
【図４】タグラベルに備えられた無線タグ回路素子の機能的構成の一例を表すブロック図である。
【図５】タグラベルの無線タグ回路素子のＩＣ回路部のメモリ部のデータ構成の一例を表す図である。
【図６】ハンディスキャナの制御系の構成を表す機能ブロック図である。
【図７】制御回路の詳細機能を表す機能ブロック図である。
【図８】特定の荷物について在庫確認する場合に、制御回路が実行する制御手順を表すフローチャート及びこのフロー中のステップＳ２０が実行された際における制御回路のメモリのデータ構成の一例を概念的に表す図である。
【図９】倉庫内に存在する荷物について在庫一覧を作成する場合に、制御回路が実行する制御手順を表すフローチャートである。
【図１０】プロトコル種別情報をバーコードの読み取りで取得する場合の変形例におけるハンディスキャナの概略機能構成を表す機能構成図である。
【図１１】プロトコル種別情報をバーコードの読み取りで取得する場合の変形例において、特定の荷物について在庫確認する場合に、制御回路が実行する制御手順を表すフローチャートである。
【図１２】プロトコル種別情報をバーコードの読み取りで取得する場合の変形例において、倉庫内に存在する荷物について在庫一覧を作成する場合に、制御回路が実行する制御手順を表すフローチャートである。
【図１３】使用目的別識別コードを記憶保持する場合の変形例におけるタグラベルの無線タグ回路素子のＩＣ回路部のメモリ部のデータ構成の一例を表す図である。
【符号の説明】
【０１２４】
１５０          ＩＣ回路部（第１ＩＣ回路部、第２ＩＣ回路部）
１５１          アンテナ（第１タグ側アンテナ、第２タグ側アンテナ）
２００          ハンディスキャナ（無線タグ情報読み取り装置）
２１０          アンテナ（装置側アンテナ）
Ｃ              バーコード（情報保持部、バーコード記録部）
Ｔo−Ａ         無線タグ回路素子（探索用無線タグ回路素子）
Ｔo−Ｂ         無線タグ回路素子（探索用無線タグ回路素子）
Ｔo−Ｐ         無線タグ回路素子（情報保持部、プロトコル特定用無線タグ回路素子）
ＴP             無線タグラベル（記録媒体）
【図１】
2008191961.tif 000003
【図２】
2008191961.tif 000004
【図３】
2008191961.tif 000005
【図４】
2008191961.tif 000006
【図５】
2008191961.tif 000007
【図６】
2008191961.tif 000008
【図７】
2008191961.tif 000009
【図８】
2008191961.tif 000010
【図９】
2008191961.tif 000011
【図１０】
2008191961.tif 000012
【図１１】
2008191961.tif 000013
【図１２】
2008191961.tif 000014
【図１３】
2008191961.tif 000015